【手続補正書】
【提出日】平成19年12月11日(2007.12.11)
【手続補正１】
【補正対象書類名】明細書
【補正対象項目名】特許請求の範囲
【補正方法】変更
【補正の内容】
【特許請求の範囲】
【請求項１】
コリオリ流量計に対する非線形の温度補償された流体流れ出力情報を導出するための流体の流れを有する前記コリオリ流量計を備える装置を操作する方法であって、
前記コリオリ流量計の流管手段の動作温度Ｔを測定するステップと、
前記流管手段を具体化する材料に対する非線形温度補償情報を記憶するステップと、
前記流体についての情報を前記動作温度Ｔおよび前記非線形温度補償情報と関連付ける式を定義するステップと、
前記定義された式を解いて、前記動作温度Ｔでの前記コリオリ流量計に対する非線形の温度補償された材料流量出力情報を生成するステップと、
を含む方法。
【請求項２】
前記の定義された式を解く前記ステップが、前記コリオリ流量計の前記流体の流れに対する非線形の温度補償された質量流量
【外１】
2003528305.tif 000001
を決定するステップを含むことを特徴とする、請求項１に記載の方法。
【請求項３】
測定された前記動作温度Ｔを前記コリオリ流量計のメモリに記憶するステップを含む、請求項１に記載の方法。
【請求項４】
前記非線形温度補償情報を前記メモリに記憶するステップと、
前記動作温度Ｔでの前記コリオリ流量計に対する非線形の温度補償された流体流量出力情報を生成するよう、前記の定義された式での使用のために前記メモリから、前記流管手段を具体化する前記材料に対する前記非線形温度補償情報を読み出すステップと、
を含む、請求項３に記載の方法。
【請求項５】
前記非線形温度補償情報を記憶する前記ステップが、前記流管手段を具体化する前記材料の所定範囲の温度に対するヤング率Ｅの測定値を記憶するステップを含むことを特徴とする、請求項４に記載の方法。
【請求項６】
前記非線形温度補償情報をメモリに記憶する前記ステップが、前記流管手段を具体化する前記材料の所定範囲の温度に対するヤング率Ｅの測定値を記憶するステップを含み、
前記方法が、
前記動作温度Ｔに対するＥを決定するステップと、
前記の非線形の温度補償された流体流量出力情報を生成するために解いた前記の定義された式で、前記決定されたＥを使用するステップと、
をさらに含むことを特徴とする、請求項４に記載の方法。
【請求項７】
前記の定義された式を解く前記ステップが、前記コリオリ流量計の材料流量に対する非線形の温度補償された質量流量
【外２】
2003528305.tif 000002
を決定するステップを含むことを特徴とする、請求項６に記載の方法。
【請求項８】
前記の決定されたＥを使用する前記ステップが、
前記動作温度Ｔを使用して、前記動作温度Ｔに対応するＥの値を記憶する前記メモリのロケーションにアクセスするステップと、
前記メモリからＥの前記値を読み出して、前記の定義された式を解くのに使用するステップと、
を含むことを特徴とする、請求項６に記載の方法。
【請求項９】
使用して読み出す前記ステップが、
前記動作温度Ｔが前記メモリのロケーションに対応している場合に、前記のアクセスしたロケーションからＥの値を読み出すステップを含み、
前記方法が、
受け取ったＴの値が前記メモリのロケーションに対応していないことを決定するステップと、
前記受け取ったＴの値に最も近いＴの値に対応する前記メモリのロケーションを決定するステップと、
前記受け取ったＴの値に最も近いＴの値を有する前記ロケーションに対するＥの値を内挿することにより、前記受け取ったＴの値に対するＥの値を決定するステップと、
前記の非線形の温度補償された流体流量出力情報を生成するように解かれた前記の定義された式でＴの前記内挿した値を使用するステップと、
をさらに含むことを特徴とする、請求項８に記載の方法。
【請求項１０】
解く前記ステップが、
Ｔに応じて、前記流管手段を具体化する前記材料に対する前記非線形温度補償情報に対する非線形式を取得するステップと、
前記の定義された式において前記非線形温度補償情報に対する前記非線形式を使用して、前記コリオリ流量計についての前記の非線形の温度補償された流体流量出力情報を生成するステップと、
を含むことを特徴とする、請求項１に記載の方法。
【請求項１１】
取得して使用する前記ステップが、
Ｔの関数としてヤング率Ｅに対する非線形式を取得するステップと、
前記の定義された式においてヤング率Ｅに対する前記非線形式を使用して、前記コリオリ流量計に対する非線形の温度補償された材料流量出力情報を生成するステップと、
を含むことを特徴とする、請求項１０に記載の方法。
【請求項１２】
前記の非線形の温度補償された流量出力情報を決定する前記ステップが、前記流体流量に対する非線形の温度補償された質量流量
【外３】
2003528305.tif 000003
を決定するステップを含むことを特徴とする、請求項１１に記載の方法。
【請求項１３】
前記流管手段を具体化する前記材料に対する前記非線形温度補償情報が、前記流管手段の複数の測定された動作温度Ｔでのヤング率Ｅの測定値を含み、
前記方法が、
Ｅの前記測定値を曲線近似し、Ｔの関数として表されるＥの前記非線形式を取得するステップと、
前記の定義された式においてヤング率Ｅに対する前記非線形式を使用して、前記コリオリ流量計についての前記の非線形の温度補償された流体流量出力情報を生成するステップと、
を含むことを特徴とする、請求項１に記載の方法。
【請求項１４】
Ｅの前記測定値がコリオリ流量計のメモリに記憶されることを特徴とする、請求項１３に記載の方法。
【請求項１５】
前記動作温度Ｔを受け取るステップと、
前記動作温度Ｔを前記式に適用して、前記の非線形の温度補償された流体流量出力情報を生成するステップと、
をさらに含む、請求項１３に記載の方法。
【請求項１６】
曲線近似する前記ステップが、ヤング率Ｅの前記値についてｎ次曲線近似（ここで、ｎは１より大きい）を実施して、前記温度補償情報を決定するための式を生成することを特徴とする、請求項１３に記載の方法。
【請求項１７】
曲線近似する前記ステップが、前記コリオリ流量計に対する前記の非線形の温度補償された流体流量出力情報を決定するよう前記式において使用するためにヤング率Ｅの前記値に対して２次曲線近似を実施することを特徴とする、請求項１３に記載の方法。
【請求項１８】
曲線近似する前記ステップが、前記コリオリ流量計に対する前記の非線形の温度補償された流体流量出力情報を決定するよう前記式において使用するためにヤング率Ｅの前記値に対して３次曲線近似を実施することを特徴とする、請求項１３に記載の方法。
【請求項１９】
曲線近似する前記ステップが、前記コリオリ流量計に対する前記の非線形の温度補償された流体流量出力情報を決定するよう前記式において使用するためにヤング率Ｅの前記値に対して４次曲線近似を実施することを特徴とする、請求項１３に記載の方法。
【請求項２０】
曲線近似する前記ステップが、前記コリオリ流量計に対する前記の非線形の温度補償された流体流量出力情報を決定するよう前記式において使用するためにヤング率Ｅの前記値に対して５次曲線近似を実施することを特徴とする、請求項１３に記載の方法。
【請求項２１】
前記コリオリ流量計の前記流管手段を具体化する前記材料のヤング率Ｅに対する線形温度補償を具現する流体流量出力情報を受け取るステップと、
前記コリオリ流量計の動作温度Ｔを受け取るステップと、
前記コリオリ流量計の前記出力情報から前記線形温度補償を除去して、前記コリオリ流量計に非補償の流体流量出力情報を提供するステップと、
前記流体に対する情報を、前記動作温度Ｔと前記流管手段を具体化する前記材料に対する前記非線形温度補償情報とに関連付ける前記の定義された式を使用するステップと、
前記の定義された式を解いて、前記動作温度Ｔでの前記コリオリ流量計に対する非線形の温度補償された流体流量出力情報を生成するステップと、
をさらに含む、請求項１に記載の方法。
【請求項２２】
前記流管手段を具体化する前記材料に対する前記の記憶された非線形温度補償情報が、動作温度Ｔの関数として表されるヤング率Ｅに対する複数の非線形式を含み、
前記方法が、
前記動作温度Ｔを受け取るステップと、
前記の受取った動作温度Ｔを使用して、前記複数の非線形式のうちの１つを選択するステップと、
前記の定義された式においてヤング率Ｅに対する前記の選択された非線形式を使用して、前記コリオリ流量計に対する前記の非線形の温度補償された流体流量出力情報を生成するステップと、
を含むことを特徴とする、請求項１に記載の方法。
【請求項２３】
流体流量を受け取りながら振動させられるようになされた流管手段（１０２、１０３）と、前記の振動する流管手段に結合されたピックオフ（ＲＰＯ、ＬＰＯ）から信号を受信する計器電子回路（１２５）とを備え、前記信号が、前記ピックオフが結合されている前記流管手段の２点間の位相差を表示し、前記計器電子回路が温度センサ（ＲＴＤ）から前記流管手段の動作温度Ｔを表示する信号を受信するコリオリ流量計において、
前記計器電子回路が、
前記動作温度Ｔを、前記流管手段を具体化する前記材料に対する非線形温度補償情報と関連付ける補償装置（６０８、６０９、６１０）と、
前記非線形温度補償情報および前記ピックオフ信号（６０８）を受け取り、前記流管手段を具体化する前記材料に対する前記非線形温度補償情報を、定義された流体流量式に適用して、前記コリオリ流量計に対する非線形の温度補償された流体流量出力情報（７１４、８１２、９１９）を生成する装置（６１４）と、
を備えるコリオリ流量計。
【請求項２４】
前記流体流量出力情報が、前記材料流量の非線形の温度補償された質量流量
【外４】
2003528305.tif 000004
（７１４、８１２、９１９）を含むことを特徴とする、請求項２３に記載のコリオリ流量計。
【請求項２５】
前記動作温度Ｔを測定して前記計器電子回路のメモリ（６１７）に記憶することを特徴とする、請求項２３に記載のコリオリ流量計。
【請求項２６】
複数の動作温度に対する、前記流管手段を具体化する前記材料に対する前記非線形温度補償情報（６１４）が、前記計器電子回路のメモリに記憶され、
前記計器電子回路が、前記コリオリ流量計についての非線形の温度補償された流体流量出力情報（８１２）を生成するよう、前記の定義された材料流量式で使用するために、前記メモリから前記動作温度Ｔに対する前記温度補償情報（８０３）を読み出すルックアップ装置をさらに備える
ことを特徴とする、請求項２５に記載のコリオリ流量計。
【請求項２７】
前記非線形温度補償情報が、前記流管手段を具体化する前記材料の所定範囲の温度に対するヤング率Ｅの測定値（８０１）を有することを特徴とする、請求項２６に記載のコリオリ流量計。
【請求項２８】
前記非線形温度補償情報が、前記流管手段の所定範囲の温度に対するヤング率Ｅの測定値（８０１）を有し、
前記計器電子回路が、
前記動作温度Ｔに対するヤング率Ｅ（８０６）を生成する装置と、
前記の非線形の温度補償された流体流量出力情報（８１２）を生成するよう解かれた前記の定義された式において、前記の決定されたヤング率Ｅを使用する装置と、
をさらに備えることを特徴とする、請求項２６に記載のコリオリ流量計。
【請求項２９】
前記流体流量出力情報が、前記コリオリ流量計における前記流体流量に対する非線形の温度補償された質量流量
【外５】
2003528305.tif 000005
（８１０）を含むことを特徴とする、請求項２８に記載のコリオリ流量計。
【請求項３０】
前記コリオリ流量計が、
前記動作温度Ｔを使用して、前記動作温度Ｔに対応するヤング率Ｅの値を記憶する前記メモリのロケーションにアクセスする装置（６１０）と、
前記の定義された式を解くのに使用するために、前記メモリからヤング率Ｅの前記値を読み出す装置（６１０）と、
を備えることを特徴とする、請求項２８に記載のコリオリ流量計。
【請求項３１】
前記動作温度Ｔが前記メモリのロケーションに対応している場合に、前記のアクセスされたロケーションからＥの値を読み出す装置（６０８、６１０）を備え、
前記装置（６０８、６１０）が、受け取ったＴの値が前記メモリのロケーションに対応していない場合を決定し、
前記装置（６０８、６１０）が、前記受け取ったＴの値に最も近いＴの値に対応する前記メモリのロケーションを決定し、
前記装置（６０８、６１０）が、前記受け取ったＴの値に最も近いＴの値を有する前記ロケーションに対するＥの値を内挿することにより、前記受け取ったＴの値に対するＥの値を決定し、解かれた前記の定義された式においてＴの前記の内挿された値を使用して、前記の非線形の温度補償された流体流量出力情報を生成する
ことを特徴とする、請求項３０に記載の装置。
【請求項３２】
前記計器電子回路が、
Ｔの関数として前記非線形温度補償情報に対する非線形式を記憶する装置（７０６）と、
前記の定義された式において前記非線形温度補償情報に対する前記非線形式を使用して、前記コリオリ流量計についての非線形の温度補償された流量出力情報を生成する装置（７１４）と、
を備えることを特徴とする、請求項２３に記載のコリオリ流量計。
【請求項３３】
前記計器電子回路が、
Ｔの関数としてヤング率Ｅに対する非線形式を記憶する前記装置（７０６）と、
前記の定義された式においてヤング率Ｅに対する前記非線形式を使用して、前記コリオリ流量計に対する非線形の温度補償された流体流量出力情報を生成する装置（７１０）と、
を備えることを特徴とする、請求項３２に記載のコリオリ流量計。
【請求項３４】
前記の非線形の温度補償された流量出力情報を生成する前記装置が、前記流体流量に対する非線形の温度補償された質量流量
【外６】
2003528305.tif 000006
を生成する装置（７１２）を備えることを特徴とする、請求項３３に記載のコリオリ流量計。
【請求項３５】
前記非線形温度補償情報が、動作温度範囲に対するヤング率Ｅ（７１０）の測定値を含み、
前記計器電子回路が、
Ｅの前記測定値を曲線近似し、Ｔの関数として表されるＥの前記非線形式を取得する装置（７０６）と、
前記の定義された式においてＥに対する前記非線形式を使用して、前記コリオリ流量計に対する前記の非線形の温度補償された流体流量出力情報を生成する装置（７１４）と、
をさらに備えることを特徴とする、請求項２３に記載のコリオリ流量計。
【請求項３６】
Ｅの前記測定値が前記計器電子回路のメモリ（６１３）に記憶されることを特徴とする、請求項３５に記載のコリオリ流量計。
【請求項３７】
前記動作温度Ｔを受取り、前記動作温度Ｔを前記式（７１０）に適用して、前記の定義された式に使用する前記温度補償情報を生成し、前記コリオリ流量計に対する非線形の温度補償された流体流量出力情報（７１４）を生成する、前記計器電子回路における回路をさらに備える、請求項３５に記載の計器電子回路。
【請求項３８】
複数の温度のそれぞれについてのヤング率Ｅを含むデータを受取り、ヤング率Ｅの前記値についてｎ次曲線近似を実施して（ここで、ｎは１より大きい）、前記温度補償出力情報（７１４）を決定するのに使用する式を生成する装置（７０１、７０３）をさらに備える、請求項３５に記載の計器電子回路。
【請求項３９】
前記計器電子回路が、ヤング率Ｅの前記値の２次形状近似を生成して、前記コリオリ流量計に対する前記の非線形の温度補償された流体流量出力情報を決定するための前記式を生成する回路（７０６）を備える、請求項３５に記載の計器電子回路。
【請求項４０】
前記計器電子回路が、ヤング率Ｅの前記値の３次形状近似を生成して、前記コリオリ流量計に対する前記の非線形の温度補償された流体流量出力情報を決定するための前記式を生成する回路（７０６）を備える、請求項３５に記載の計器電子回路。
【請求項４１】
前記計器電子回路が、ヤング率Ｅの前記値の４次形状近似を生成して、前記コリオリ流量計に対する前記の非線形の温度補償された流体流量出力情報を決定するための前記式を生成する回路（７０６）を備える、請求項３５に記載の計器電子回路。
【請求項４２】
前記計器電子回路が、ヤング率Ｅの前記値の５次形状近似を生成して、前記コリオリ流量計に対する前記の非線形の温度補償された流体流量出力情報を決定するための前記式を生成する回路（７０６）を備える、請求項３５に記載の計器電子回路。
【請求項４３】
前記コリオリ流量計の流管手段を具体化する材料のヤング率Ｅに対する線形温度補償を含む流体流量出力情報を受け取る装置（９０１）と、
前記コリオリ流量計の動作温度Ｔを受け取る装置（９０８）と、
前記コリオリ流量計の前記出力情報から前記線形温度補償を除去して、前記コリオリ流量計に対する非補償流体流量出力流量情報（９１５）を提供する装置（９１３）と、
前記流体に対する情報を前記動作温度Ｔと前記非線形温度補償情報とに関連付ける前記の定義された式を使用する装置（９１７）と、
前記の定義された式を解いて、前記動作温度Ｔでの前記コリオリ流量計に対する非線形の温度補償された流体流量出力情報を生成する前記装置（９１７）と、
をさらに備える、請求項２３に記載のコリオリ流量計。
【請求項４４】
前記の記憶された非線形温度補償情報が、動作温度Ｔの関数として表されるヤング率Ｅに関する複数の非線形式を含み、
前記計器電子回路が、
前記動作温度Ｔを受け取る装置（９０８）と、
前記受取った動作温度Ｔを使用して、前記複数の非線形式のうちの１つを選択する装置（９１１、９１３）と、
前記の定義された式においてＥに対する前記選択された非線形式を使用して、前記コリオリ流量計に対する前記の非線形の温度補償された流体流量出力情報を生成する装置（９１７、９１９）と、
をさらに備えることを特徴とする、請求項２３に記載のコリオリ流量計。